【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
第１電極、前記第１電極と対向する第２電極、前記第１電極と前記第２電極との間に配置された燐光発光層、前記燐光発光層と前記第２電極との間に配置された電子輸送層、及び前記燐光発光層と前記電子輸送層との間に配置された電子制御層を含み、
前記燐光発光層がホスト材料及びドーパント材料を含み、前記電子制御層が電子制御物質を含み、
前記ホスト材料の最高被占軌道（ＨＯＭＯ）エネルギー準位（ＥＨＨ）、前記ホスト材料の最低空軌道（ＬＵＭＯ）エネルギー準位（ＥＬＨ）、前記電子制御物質の最高被占軌道エネルギー準位（ＥＨＣ）及び前記電子制御物質の最低空軌道エネルギー準位（ＥＬＣ）は、｜ＥＨＨ−ＥＨＣ｜≦０．３ｅＶ及び｜ＥＬＨ−ＥＬＣ｜≦０．５ｅＶの関係を満たし、
前記電子制御層の厚さは、５０Åないし４５０Åである有機発光素子。
【請求項２】
前記ホスト材料の最高被占軌道エネルギー準位（ＥＨＨ）、前記ホスト材料の最低空軌道エネルギー準位（ＥＬＨ）、前記電子制御物質の最高被占軌道エネルギー準位（ＥＨＣ）及び前記電子制御物質の最低空軌道エネルギー準位（ＥＬＣ）は、０≦ＥＨＨ−ＥＨＣ≦０．３ｅＶ及び０≦ＥＬＨ−ＥＬＣ≦０．５ｅＶの関係を満たす請求項１に記載の有機発光素子。
【請求項３】
前記電子制御物質の最高被占軌道エネルギー準位（ＥＬＣ）は、−５．２ｅＶないし−６．１ｅＶである請求項１または２に記載の有機発光素子。
【請求項４】
前記電子制御物質の最低空軌道エネルギー準位（ＥＬＣ）は、−２．５ｅＶないし−３．２ｅＶである請求項１〜３のいずれか１項に記載の有機発光素子。
【請求項５】
第１電極、前記第１電極と対向する第２電極、前記第１電極と前記第２電極との間に配置された燐光発光層、前記燐光発光層と前記第２電極との間に配置された電子輸送層、前記燐光発光層と前記電子輸送層との間に配置された電子制御層、及び前記燐光発光層と前記第１電極との間に配置された電子阻止層を含み、
前記燐光発光層はホスト材料及びドーパント材料を含み、前記電子制御層は電子制御物質を含み、前記電子阻止層は電子阻止物質を含み、
前記ホスト材料の最高被占軌道エネルギー準位（ＥＨＨ）、前記ホスト材料の最低空軌道エネルギー準位（ＥＬＨ）、前記電子制御物質の最高被占軌道エネルギー準位（ＥＨＣ）、前記電子制御物質の最低空軌道エネルギー準位（ＥＬＣ）及び前記電子阻止物質の最低空軌道エネルギー準位（ＥＬＢ）は、｜ＥＨＨ−ＥＨＣ｜≦０．３ｅＶ、｜ＥＬＨ−ＥＬＣ｜≦０．５ｅＶ、及びＥＬＢ＞ＥＬＨの関係を満たし、
前記電子制御層の厚さは、５０Åないし４５０Åである有機発光素子。
【請求項６】
前記電子阻止物質は、トリフェニルアミン誘導体、カルバゾール誘導体及びスピロジフルオレン誘導体のうち少なくとも１種を含む請求項５に記載の有機発光素子。
【請求項７】
前記ホスト材料の最高被占軌道エネルギー準位（ＥＨＨ）、前記ホスト材料の最低空軌道エネルギー準位（ＥＬＨ）、前記電子制御物質の最高被占軌道エネルギー準位（ＥＨＣ）及び前記電子制御物質の最低空軌道エネルギー準位（ＥＬＣ）は、０≦ＥＨＨ−ＥＨＣ≦０．３ｅＶ及び０≦ＥＬＨ−ＥＬＣ≦０．５ｅＶの関係を満たす請求項５または６に記載の有機発光素子。
【請求項８】
前記電子制御物質の最高被占軌道エネルギー準位（ＥＨＣ）は、−５．２ｅＶないし−６．１ｅＶである請求項５〜７のいずれか１項に記載の有機発光素子。
【請求項９】
前記電子制御物質の最低空軌道エネルギー準位（ＥＬＣ）は、−２．５ｅＶないし−３．２ｅＶである請求項５〜８のいずれか１項に記載の有機発光素子。
【請求項１０】
前記電子制御物質は、下記の化学式１：
【化１】
2013168649.tif 000001
［前記式中、
Ｒ１ないしＲ７は、互いに独立して水素、重水素、ハロゲン、ヒドロキシル基、シアノ基、ニトロ基、アミノ基、カルボキシル基、置換または非置換のＣ１−Ｃ３０アルキル基、置換または非置換のＣ２−Ｃ３０アルケニル基、置換または非置換のＣ２−Ｃ３０アルキニル基、置換または非置換のＣ１−Ｃ３０アルコキシ基、置換または非置換のＣ３−Ｃ３０シクロアルキル基、置換または非置換のＣ３−Ｃ３０シクロアルケニル基、及び置換または非置換のＣ６−Ｃ３０アリール基のうち１種であり、
Ａｒ１、Ａｒ２及びＡｒ３は、互いに独立して置換または非置換のＣ６−Ｃ３０アリール基、置換または非置換のＣ６−Ｃ３０アリールオキシ基、置換または非置換のＣ６−Ｃ３０アリールチオ基、置換または非置換のＣ２−Ｃ３０ヘテロアリール基、及び−Ｎ（Ｑ１）（Ｑ２）で表される基からなる群から選択される基であり、但し、前記Ａｒ１、Ａｒ２及びＡｒ３のうち少なくとも一つは、置換または非置換のＣ２−Ｃ３０ヘテロアリール基であり、
前記Ｑ１及びＱ２は、互いに独立して水素、重水素、ハロゲン、ヒドロキシル基、シアノ基、アミノ基、ニトロ基、カルボキシル基、置換または非置換のＣ１−Ｃ３０アルキル基、置換または非置換のＣ２−Ｃ３０アルケニル基、置換または非置換のＣ２−Ｃ３０アルキニル基、置換または非置換のＣ１−Ｃ３０アルコキシ基、置換または非置換のＣ３−Ｃ３０シクロアルキル基、置換または非置換のＣ３−Ｃ３０シクロアルケニル基、置換または非置換のＣ６−Ｃ３０アリール基、置換または非置換のＣ６−Ｃ３０アリールオキシ基、置換または非置換のＣ６−Ｃ３０アリールチオ基、及び置換または非置換のＣ２−Ｃ３０ヘテロアリール基のうち１種であり、
Ｌ１、Ｌ２及びＬ３は、互いに独立して置換または非置換のＣ６−Ｃ３０アリーレン基及び置換または非置換のＣ２−Ｃ３０ヘテロアリーレン基のうち１種であり、
ａ、ｂ及びｃは、互いに独立して０ないし３の整数のうち一つである。］で表される化合物を含む請求項１〜９のいずれか１項に記載の有機発光素子。
【請求項１１】
前記電子制御物質は、下記の化学式２及び３：
【化２】
2013168649.tif 000002
【化３】
2013168649.tif 000003
［前記式中、
Ｒ１ないしＲ１２及びＲ２１ないしＲ２８は、互いに独立して水素、重水素、置換または非置換のメチル基、置換または非置換のエチル基、置換または非置換のプロピル基、置換または非置換のブチル基、置換または非置換のフェニル基、置換または非置換のビフェニル基、置換または非置換のナフチル基、置換または非置換のアントリル基、置換または非置換のフェナントレニル基、置換または非置換のピレニル基のうち１種であり、
Ａｒ１、Ａｒ２及びＡｒ３は、互いに独立して置換または非置換のフェニル基、置換または非置換のペンタレニル基、置換または非置換のインデニル基、置換または非置換のナフチル基、置換または非置換のアズレニル基、置換または非置換のヘプタレニル基、置換または非置換のインダセニル基、置換または非置換のアセナフチル基、置換または非置換のフルオレニル基、置換または非置換のスピロフルオレニル基、置換または非置換のフェナレニル基、置換または非置換のフェナントレニル基、置換または非置換のアントリル基、置換または非置換のフルオランテニル基、置換または非置換のトリフェニレニル基、置換または非置換のピレニル基、置換または非置換のクリセニル基、置換または非置換のナフタセニル基、置換または非置換のピセニル基、置換または非置換のペリレニル基、置換または非置換のペンタフェニル基、置換または非置換のヘキサセニル基、置換または非置換のピロリル基、置換または非置換のイミダゾリル基、置換または非置換のピラゾリル基、置換または非置換のピリジニル基、置換または非置換のビピリジニル基、置換または非置換のピラジニル基、置換または非置換のピリミジニル基、置換または非置換のピリダジニル基、置換または非置換のイソインドリル基、置換または非置換のインドリル基、置換または非置換のインダゾリル基、置換または非置換のプリニル基、置換または非置換のキノリニル基、置換または非置換のベンゾキノリニル基、置換または非置換のフタラジニル基、置換または非置換のナフチリジニル基、置換または非置換のキノキサリニル基、置換または非置換のキナゾリニル基、置換または非置換のシンノリニル基、置換または非置換のカルバゾリル基、置換または非置換のフェナントリジニル基、置換または非置換のアクリジニル基、置換または非置換のフェナントロリニル基、置換または非置換のフェナジニル基、置換または非置換のベンゾオキサゾリル基、置換または非置換のベンゾイミダゾリル基、置換または非置換のフラニル基、置換または非置換のベンゾフラニル基、置換または非置換のチオフェニル基、置換または非置換のベンゾチオフェニル基、置換または非置換のチアゾリル基、置換または非置換のイソチアゾリル基、置換または非置換のベンゾチアゾリル基、置換または非置換のイソオキサゾリル基、置換または非置換のオキサゾリル基、置換または非置換のトリアゾリル基、置換または非置換のテトラゾリル基、置換または非置換のオキサジアゾリル基、置換または非置換のトリアジニル基、置換または非置換のベンゾオキサゾリル基、置換または非置換のジベンゾプラニル基、置換または非置換のジベンゾチオフェニル基、及び置換または非置換のベンゾカルバゾリル基のうち１種であり、
Ｌ１、Ｌ２及びＬ３は、互いに独立して置換または非置換のフェニレン基、置換または非置換のペンタレニレン基、置換または非置換のインデニレン基、置換または非置換のナフチレン基、置換または非置換のアズレニレン基、置換または非置換のヘプタレニレン基、置換または非置換のインダセニレン基、置換または非置換のアセナフチレン基、置換または非置換のフルオレニレン基、置換または非置換のフェナレニレン基、置換または非置換のフェナントレニレン基、置換または非置換のアントリレン基、置換または非置換のフルオランテニレン基、置換または非置換のトリフェニレニレン基、置換または非置換のピレニレン基、置換または非置換のクリセニレン基、置換または非置換のナフタセニレン基、置換または非置換のピセニレン基、置換または非置換のペリレニレン基、置換または非置換のペンタフェニレン基、置換または非置換のヘキサセニレン基、置換または非置換のピロリレン基、置換または非置換のピラゾリレン基、置換または非置換のイミダゾリレン基、置換または非置換のイミダゾリニレン基、置換または非置換のイミダゾピリジニレン基、置換または非置換のイミダゾピリミジニレン基、置換または非置換のピリジニレン基、置換または非置換のピラジニレン基、置換または非置換のピリミジニレン基、置換または非置換のインドリレン基、置換または非置換のプリニレン基、置換または非置換のキノリニレン基、置換または非置換のフタラジニレン基、置換または非置換のインドリジニレン基、置換または非置換のナフチリジニレン基、置換または非置換のキナゾリニレン基、置換または非置換のシノリニレン基、置換または非置換のインダゾリレン基、置換または非置換のカバゾリレン基、置換または非置換のフェナジニレン基、置換または非置換のフェナントリジニレン基、置換または非置換のピラニレン基、置換または非置換のクロメニレン基、置換または非置換のフラニレン基、置換または非置換のベンゾフラニレン基、置換または非置換のチオフェニレン基、置換または非置換のベンゾチオフェニレン基、置換または非置換のイソチアゾリレン基、置換または非置換のベンゾイミダゾリレン基、置換または非置換のイソキサゾリレン基、置換または非置換のジベンゾチオフェニレン基、置換または非置換のジベンゾプラニレン基、置換または非置換のトリアジニレン基、及び置換または非置換のオキサジアゾリレン基のうち１種であり、
ａ、ｂ及びｃは、互いに独立して０ないし１の整数のうち一つである］で表される化合物のうち少なくとも１種を含む請求項１０に記載の有機発光素子。
【請求項１２】
前記ホスト材料は、正孔輸送単位と電子輸送単位とを同時に持つバイポーラ化合物を含む請求項１〜１１のいずれか１項に記載の有機発光素子。
【請求項１３】
前記ホスト材料は、正孔輸送単位と電子輸送単位とを同時に持つバイポーラ化合物及び少なくとも正孔輸送単位を持つ化合物の混合物を含む請求項１〜１２のいずれか１項に記載の有機発光素子。
【請求項１４】
前記電子輸送層は、下記の化学式４：
【化４】
2013168649.tif 000004
［前記式中、
Ｒ３１ないしＲ４２は、互いに独立して水素、重水素、置換または非置換のメチル基、置換または非置換のエチル基、置換または非置換のプロピル基、置換または非置換のブチル基、置換または非置換のフェニル基、置換または非置換のビフェニル基、置換または非置換のナフチル基、置換または非置換のアントリル基、置換または非置換のフェナントレニル基、置換または非置換のピレニル基のうち１種であり、
Ａｒ１１及びＡｒ１２は、互いに独立して置換または非置換のフェニル基、置換または非置換のペンタレニル基、置換または非置換のインデニル基、置換または非置換のナフチル基、置換または非置換のアズレニル基、置換または非置換のヘプタレニル基、置換または非置換のインダセニル基、置換または非置換のアセナフチル基、置換または非置換のフルオレニル基、置換または非置換のスピロフルオレニル基、置換または非置換のフェナレニル基、置換または非置換のフェナントレニル基、置換または非置換のアントリル基、置換または非置換のフルオランテニル基、置換または非置換のトリフェニレニル基、置換または非置換のピレニル基、置換または非置換のクリセニル基、置換または非置換のナフタセニル基。置換または非置換のピセニル基、置換または非置換のペリレニル基、置換または非置換のペンタフェニル基、置換または非置換のヘキサセニル基、置換または非置換のピロリル基、置換または非置換のイミダゾリル基、置換または非置換のピラゾリル基、置換または非置換のピリジニル基、置換または非置換のビピリジニル基、置換または非置換のピラジニル基、置換または非置換のピリミジニル基、置換または非置換のピリダジニル基、置換または非置換のイソインドリル基、置換または非置換のインドリル基、置換または非置換のインダゾリル基、置換または非置換のプリニル基、置換または非置換のキノリニル基、置換または非置換のベンゾキノリニル基、置換または非置換のフタラジニル基、置換または非置換のナフチリジニル基、置換または非置換のキノキサリニル基、置換または非置換のキナゾリニル基、置換または非置換のシンノリニル基、置換または非置換のカルバゾリル基、置換または非置換のフェナントリジニル基、置換または非置換のアクリジニル基、置換または非置換のフェナントロリニル基、置換または非置換のフェナジニル基、置換または非置換のベンゾオキサゾリル基、置換または非置換のベンゾイミダゾリル基、置換または非置換のフラニル基、置換または非置換のベンゾフラニル基、置換または非置換のチオフェニル基、置換または非置換のベンゾチオフェニル基、置換または非置換のチアゾリル基、置換または非置換のイソチアゾリル基、置換または非置換のベンゾチアゾリル基、置換または非置換のイソオキサゾリル基、置換または非置換のオキサゾリル基、置換または非置換のトリアゾリル基、置換または非置換のテトラゾリル基、置換または非置換のオキサジアゾリル基、置換または非置換のトリアジニル基、置換または非置換のベンゾオキサゾリル基、置換または非置換のジベンゾプラニル基、置換または非置換のジベンゾチオフェニル基、及び置換または非置換のベンゾカルバゾリル基のうち１種であり、
Ｌ１１、Ｌ１２及びＬ１３は、互いに独立して置換または非置換のフェニレン基、置換または非置換のペンタレニレン基、置換または非置換のインデニレン基、置換または非置換のナフチレン基、置換または非置換のアズレニレン基、置換または非置換のヘプタレニレン基、置換または非置換のインダセニレン基、置換または非置換のアセナフチレン基、置換または非置換のフルオレニレン基、置換または非置換のフェナレニレン基、置換または非置換のフェナントレニレン基、置換または非置換のアントリレン基、置換または非置換のフルオランテニレン基、置換または非置換のトリフェニレニレン基、置換または非置換のピレニレン基、置換または非置換のクリセニレン基、置換または非置換のナフタセニレン基、置換または非置換のピセニレン基、置換または非置換のペリレニレン基、置換または非置換のペンタフェニレン基、置換または非置換のヘキサセニレン基、置換または非置換のピロリレン基、置換または非置換のピラゾリレン基、置換または非置換のイミダゾリレン基、置換または非置換のイミダゾリニレン基、置換または非置換のイミダゾピリジニレン基、置換または非置換のイミダゾピリミジニレン基、置換または非置換のピリジニレン基、置換または非置換のピラジニレン基、置換または非置換のピリミジニレン基、置換または非置換のインドリレン基、置換または非置換のプリニレン基、置換または非置換のキノリニレン基、置換または非置換のフタラジニレン基、置換または非置換のインドリジニレン基、置換または非置換のナフチリジニレン基、置換または非置換のキナゾリニレン基、置換または非置換のシノリニレン基、置換または非置換のインダゾリレン基、置換または非置換のカバゾリレン基、置換または非置換のフェナジニレン基、置換または非置換のフェナントリジニレン基、置換または非置換のピラニレン基、置換または非置換のクロメニレン基、置換または非置換のフラニレン基、置換または非置換のベンゾフラニレン基、置換または非置換のチオフェニレン基、置換または非置換のベンゾチオフェニレン基、置換または非置換のイソチアゾリレン基、置換または非置換のベンゾイミダゾリレン基、置換または非置換のイソキサゾリレン基、置換または非置換のジベンゾチオフェニレン基、置換または非置換のジベンゾプラニレン基、置換または非置換のトリアジニレン基、及び置換または非置換のオキサジアゾリレン基のうち１種であり、
ｐ、ｑ及びｒは、互いに独立して０ないし１の整数のうち一つである］で表される化合物を含む請求項１〜１３のいずれか１項に記載の有機発光素子。
【請求項１５】
前記電子輸送層は、リチウムキノレート（ＬｉＱ）または下記の化合物１０１の金属錯体をさらに含む請求項１４に記載の有機発光素子。
【化５】
2013168649.tif 000005
【請求項１６】
前記電子輸送層は、１、４、５、８、９、１２−ヘキサアザトリフェニレンヘキサカルボニトリル、テトラシアノ−キノジメタン、アントラキノン、ペリレンビスイミド及びテトラシアノアントラキノジメタンから選択された少なくとも１種をさらに含む請求項１４または１５に記載の有機発光素子。
【請求項１７】
前記電子輸送層は、Ｌｉ、Ｃｓ、Ｎａ、Ｋ、Ｃａ、Ｍｇ、Ｂａ及びＲａから選択された少なくとも１種の金属単体、金属カーボネート、金属アセテート、金属ベンゾエ−ト、金属アセトアセテート、金属アセチルアセトネート、金属ステアレートから選択された少なくとも１種をさらに含む請求項１４〜１６のいずれか１項に記載の有機発光素子。
【請求項１８】
前記燐光発光層と前記第１電極との間に配置された正孔輸送層をさらに含み、前記正孔輸送層は、下記の化学式５：
【化６】
2013168649.tif 000006
［前記式中、
Ｒ５０は、置換または非置換のフェニル基、置換または非置換のナフチル基、置換または非置換のアントリル基、置換または非置換のビフェニル基、及び置換または非置換のピリジル基のうち１種であり、
Ｌ２１は、置換または非置換のＣ１−Ｃ３０アルキレン基、置換または非置換のＣ２−Ｃ３０アルケニレン基、置換または非置換のＣ６−Ｃ３０アリーレン基、及び置換または非置換のＣ２−Ｃ３０ヘテロアリーレン基のうち１種であり、
Ｒ５１ないしＲ６６は、互いに独立して水素、重水素、ハロゲン、ヒドロキシル基、シアノ基、ニトロ基、カルボキシル基、置換または非置換のＣ１−Ｃ３０アルキル基、置換または非置換のＣ２−Ｃ３０アルケニル基、置換または非置換のＣ２−Ｃ３０アルキニル基、置換または非置換のＣ１−Ｃ３０アルコキシ基、置換または非置換のＣ１−Ｃ３０アルキルチオール基、置換または非置換のＣ３−Ｃ３０シクロアルキル基、置換または非置換のＣ３−Ｃ３０シクロアルケニル基、置換または非置換のＣ６−Ｃ３０アリール基、置換または非置換のＣ６−Ｃ３０アリールオキシ基、置換または非置換のＣ６−Ｃ３０アリールチオ基、置換または非置換のＣ２−Ｃ３０ヘテロアリール基及び−Ｎ（Ｑ１１）（Ｑ１２）で表される置換基のうち１種であり、前記Ｑ１１及びＱ１２は、互いに独立して水素、重水素、ハロゲン、ヒドロキシル基、シアノ基、アミノ基、ニトロ基、カルボキシル基、Ｃ１−Ｃ３０アルキル基、Ｃ２−Ｃ３０アルケニル基、Ｃ２−Ｃ３０アルキニル基、Ｃ１−Ｃ３０アルコキシ基、Ｃ１−Ｃ３０アルキルチオール基、Ｃ３−Ｃ３０シクロアルキル基、Ｃ３−Ｃ３０シクロアルケニル基、Ｃ６−Ｃ３０アリール基、Ｃ６−Ｃ３０アリールオキシ基、Ｃ６−Ｃ３０アリールチオ基、及びＣ２−Ｃ３０ヘテロアリール基のうち１種であり、
ｋは、０ないし３の整数のうち一つである］で表される化合物を含む請求項１〜１７のいずれか１項に記載の有機発光素子。
【請求項１９】
前記正孔輸送層と前記第１電極との間に配置された正孔注入層をさらに含み、前記正孔注入層は、下記の化学式６：
【化７】
2013168649.tif 000007
［前記式中、
Ａｒ４１及びＡｒ４２は、互いに独立して置換または非置換のＣ６−Ｃ３０アリーレン基、及び置換または非置換のＣ２−Ｃ３０ヘテロアリーレン基のうち１種であり、
Ｒ７１及びＲ７２は、互いに独立して水素、重水素、ハロゲン、ヒドロキシル基、シアノ基、ニトロ基、アミノ基、アミジノ基、ヒドラジン、ヒドラゾン、カルボキシル基やその塩、スルホン酸基やその塩、燐酸やその塩、置換または非置換のＣ１−Ｃ３０アルキル基、置換または非置換のＣ２−Ｃ３０アルケニル基、置換または非置換のＣ２−Ｃ３０アルキニル基、置換または非置換のＣ１−Ｃ３０アルコキシ基、置換または非置換のＣ３−Ｃ３０シクロアルキル基、置換または非置換のＣ６−Ｃ３０アリール基、置換または非置換のＣ６−Ｃ３０アリールオキシ基、及び置換または非置換のＣ６−Ｃ３０アリールチオ基のうち１種である］で表される化合物を含む請求項１８に記載の有機発光素子。
【請求項２０】
ソース、ドレイン、ゲート及び活性層を含むトランジスタ及び請求項１〜１９のいずれか１項に記載の有機発光素子を備え、
前記有機発光素子の第１電極は、前記ソース及びドレインのうち一つと電気的に連結された有機発光表示装置。